(57)【要約】【課題】  輸送空間内の空間電荷を中和することによってイオンビームの輸送効率を向上させることができ、かつメンテナンスのコストを低減できるイオン質量分離装置、その装置を備えたイオン注入装置、及びイオン質量分離方法を提供すること。【解決手段】  イオン偏向ケーシング２１の外部に、導体２４を所定の間隔で螺旋状に巻くことにより所要長さに形成した空芯励磁電流路２５と、イオン偏向ケーシング入口部２２における導体２４と重なる間隔位置に配置したイオン引出し電極２７と、イオン引出し電極２７に隣接したイオン発生装置４０と、イオン偏向ケーシング出口部２３に配置したイオン加速電極２８と、イオン偏向ケーシング２１内の上流側にのみ配置したフィラメント３１とを備え、フィラメント３１が、イオン偏向ケーシング２１内に熱電子を供給する。【選択図】    図１
2005078912.tif 000002
【特許請求の範囲】
【請求項１】
イオン偏向ケーシングの外部に、導体を所定の間隔で螺旋状に巻くことにより所要長さに形成した空芯励磁電流路と、イオン偏向ケーシング入口部における前記導体と重なる間隔位置に配置したイオン引出し電極と、前記イオン引出し電極に隣接したイオン発生装置と、イオン偏向ケーシング出口部に配置したイオン加速電極と、前記イオン偏向ケーシング内の上流側にのみ複数配置したフィラメントとを備え、前記フィラメントが、前記イオン偏向ケーシング内に熱電子を供給するイオン質量分離装置。
【請求項２】
前記フィラメントが、前記イオン偏向ケーシング内に所定の間隔をもって配置されている請求項１記載のイオン質量分離装置。
【請求項３】
前記フィラメントが、前記イオン偏向ケーシング内の側面に配置されている請求項１または２記載のイオン質量分離装置。
【請求項４】
前記フィラメントには、それぞれ個別に、フィラメント電流電源及びバイアス電圧電源が接続されている請求項１から３のいずれか１項に記載のイオン質量分離装置。
【請求項５】
請求項１から４のいずれかに記載のイオン質量分離装置によって質量分離したイオンビームを基材に照射してイオン注入するようにしたイオン注入装置。
【請求項６】
イオン偏向ケーシングの外部に、前記入口部を通るように導体を螺旋状に巻いて所要長さにした空芯励磁電流路を用い、イオン偏向ケーシング入口部の前記導体間を通して前記空芯励磁電流路の内部にイオンビームを導入し、前記イオン偏向ケーシング内の上流側に配置したフィラメントを用いて前記イオン偏向ケーシング内に熱電子を供給しながら前記空芯励磁電流路による磁場の作用によりイオンビームをイオンの質量に応じて湾曲させ、所望の質量のイオンビームを取出すイオン質量分離方法。
【発明の詳細な説明】
【技術分野】
【０００１】
本発明は、液晶ディスプレイ等に用いられるイオン質量分離装置、イオン注入装置、及びイオン質量分離方法に関する。
【背景技術】
【０００２】
液晶ディスプレイ等に用いられるイオン注入装置においては、液晶ディスプレイの大型化が進むにつれ、その大型化した液晶ディスプレイ用基板に対してイオンビームを均一に注入する装置が提案されており、基板短辺より少し幅広の線状あるいは矩形のイオンビームを生成し、液晶ディスプレイ用ガラス基板をスライドして注入する方式が採用されている。
一方、液晶ディスプレイの薄膜トランジスタ（ＴＦＴ）構造の性能向上を目的として、希望のイオン種のみを選択的に注入できる質量分離性能を有するイオン注入装置が提案されている。
従来のイオン注入装置としては、これら両者を同時に満足させるため、例えば、イオン源プラズマから大電流イオンビームを引出し、質量分離器で希望のイオン種を中心軌道に載せて９０度偏向し、液晶用ガラス基板へ注入する方式が採用されている（特許文献１参照）。
【特許文献１】特開２００２−２０３８０５号公報（第３−４頁、第１図）
【発明の開示】
【発明が解決しようとする課題】
【０００３】
上記従来のイオン注入装置においては、大電流のイオンビームを輸送すると、イオンビームだけの輸送空間内に存在するプラスイオン同士がお互いに反発し合うイオンビーム自体の空間電荷効果によってイオンビームが発散してしまい、その発散によって輸送空間の出口に到達するイオンビームの量が少なくなることでイオンビームの輸送効率が低下してしまうという問題があった。
ここで、空間電荷を中和するために、輸送空間内の側面全体に熱フィラメントを設けることによって電子を供給するイオン注入装置があるが、その装置においては、電子が輸送空間内に残留するガスをプラズマ化させる要素を持っているため、電子のエネルギーが高くなることで輸送空間内にプラズマが発生して、そのプラズマがイオンビームに不純物を混入させて質量分離性能を悪化させてしまうという問題があった。
【０００４】
また、イオンビームの電流量や分布により、供給する中和電子にも供給量と分布とを調整する必要が生じるとともに、局所的に中和電子を供給しても空間電荷効果を抑制することができないため、輸送空間にイオンビームの分布幅に応じた中和電子を供給する必要が生じてしまうという問題があった。
さらに、輸送空間内の側面に熱フィラメントが設けられていることにより、フィラメントを交換する際に質量分離器ごと交換しなければならず、メンテナンスの面においてコストが増大してしまうという問題があった。
【０００５】
本発明は、このような事情を考慮してなされたもので、輸送空間内におけるイオンビームの輸送効率を向上させることができ、かつメンテナンスのコストを低減できるイオン質量分離装置、その装置を備えたイオン注入装置、及びイオン質量分離方法を提供することを目的とする。
【課題を解決するための手段】
【０００６】
本発明は、上記課題を解決するため、以下の手段を採用する。すなわち、本発明は、イオン質量分離装置において、イオン偏向ケーシングの外部に、導体を所定の間隔で螺旋状に巻くことにより所要長さに形成した空芯励磁電流路と、イオン偏向ケーシング入口部における前記導体と重なる間隔位置に配置したイオン引出し電極と、前記イオン引出し電極に隣接したイオン発生装置と、イオン偏向ケーシング出口部に配置したイオン加速電極と、前記イオン偏向ケーシング内の上流側にのみ複数配置したフィラメントとを備え、前記フィラメントが、前記イオン偏向ケーシング内に熱電子を供給することを特徴とする。
【０００７】
本発明によれば、イオン質量分離装置において、イオン偏向ケーシング内の上流側にのみフィラメントを複数配置したことにより、上流側にのみ配置したフィラメントからイオン偏向ケーシング内に熱電子が供給されて、イオン偏向ケーシング内の空間電荷が中和されるため、イオンビーム自らの空間電荷効果によるイオンビームの発散が回避されることとなる。
また、フィラメントがイオン偏向ケーシング内に熱電子を供給した際にプラズマが生成されて、そのプラズマに起因する不純物を含んだイオンビームが生成された場合においても、イオン偏向ケーシング内の下流側でイオンビームの質量分離とともにイオンビームに含まれる不純物が除去されるため、不純物を含まずにイオン偏向ケーシング内の空間電荷が中和されることとなる。
【０００８】
本発明は、前記フィラメントが、前記イオン偏向ケーシング内に所定の間隔をもって配置されていることを特徴とする。
【０００９】
本発明によれば、フィラメントがイオン偏向ケーシング内に所定の間隔をもって配置されていることにより、複数のフィラメントを用いてそれらフィラメントから分布幅を持たせた熱電子を供給することができ、また、イオンビームの分布幅に合わせて分布幅を持たせた熱電子を供給することが可能となる。
【００１０】
本発明は、前記フィラメントが、前記イオン偏向ケーシング内の側面に配置されていることを特徴とする。
【００１１】
本発明によれば、フィラメントがイオン偏向ケーシング内の側面に配置されていることにより、フィラメントから供給される熱電子がイオン偏向ケーシング内に長時間閉じ込められたままでイオンビームの軌道と垂直な方向に往復運動し続けるため、フィラメントに新たに流す電流量が削減されることとなる。
また、メンテナンス時においては、イオン偏向ケーシングを分解することなくフィラメントの着脱を行うため、フィラメントの交換が容易に行われるだけでなく、イオン偏向ケーシング内を真空化する手間が省略される。
【００１２】
本発明は、前記フィラメントには、それぞれ個別に、フィラメント電流電源及びバイアス電圧電源が接続されていることを特徴とする。
【００１３】
本発明によれば、フィラメントにそれぞれ個別にフィラメント電流電源及びバイアス電圧電源が接続されていることにより、それぞれのフィラメントに対して必要に応じたフィラメント電流及びバイアス電圧が個別に与えられることとなる。
【００１４】
本発明は、イオン注入装置において、前記イオン質量分離装置によって質量分離したイオンビームを基材に照射してイオン注入するようにしたことを特徴とする。
【００１５】
本発明によれば、上記のようなイオン質量分離装置によって質量分離したイオンビームを基材に照射してイオン注入するようにしたことにより、自らの空間電荷効果による発散を回避された不純物を含まない良質のイオンビームが基材に注入されることとなる。
【００１６】
本発明は、イオン質量分離方法において、イオン偏向ケーシングの外部に、前記入口部を通るように導体を螺旋状に巻いて所要長さにした空芯励磁電流路を用い、イオン偏向ケーシング入口部の前記導体間を通して前記空芯励磁電流路の内部にイオンビームを導入し、前記イオン偏向ケーシング内の上流側に配置したフィラメントを用いて前記イオン偏向ケーシング内に熱電子を供給しながら前記空芯励磁電流路による磁場の作用によりイオンビームをイオンの質量に応じて湾曲させ、所望の質量のイオンビームを取出すことを特徴とする。
【００１７】
本発明によれば、イオン偏向ケーシング内にフィラメントから熱電子を供給して、イオン偏向ケーシング内の空間電荷を中和しながらイオンビームを取出すため、イオンビーム自らの空間電荷効果によるイオンビームの発散が回避されることとなる。
【発明の効果】
【００１８】
本発明のイオン質量分離装置によれば、イオン偏向ケーシング内にフィラメントから熱電子が供給されて、イオン偏向ケーシング内の空間電荷が中和されるため、イオンビーム自らの空間電荷効果によるイオンビームの発散が回避されることとなるので、イオンビームの輸送効率を向上させることができる。
また、不純物を含んだイオンビームが生成された場合においても、イオン偏向ケーシング内の下流側でイオンビームの質量分離とともにイオンビームに含まれる不純物が除去されるため、不純物を含まずにイオン偏向ケーシング内の空間電荷が中和されることとなるので、イオンビームの輸送効率を向上させることができる。
【００１９】
また、本発明のイオン注入装置によれば、自らの空間電荷効果による発散を回避された不純物を含まない良質のイオンビームが基材に注入されることとなるので、イオンビームの輸送効率を向上させることができる。
【００２０】
また、本発明のイオン質量分離方法によれば、イオン偏向ケーシング内にフィラメントから熱電子を供給して、イオン偏向ケーシング内の空間電荷を中和しながらイオンビームを出口部から導体間を通して取出すため、イオンビーム自らの空間電荷効果によるイオンビームの発散が回避されることとなるので、イオンビームの輸送効率を向上させることができる。
【発明を実施するための最良の形態】
【００２１】
以下、本発明を実施するための最良の形態について、図面を参照して説明する。
図１において符号１０は、本発明を適用したイオン注入装置である。
イオン注入装置１０は、イオン質量分離装置２０と、プラズマ発生部を有するイオン注入装置４０とを備えている。
イオン質量分離装置２０には、イオン偏向ケーシング２１が設けられている。
イオン偏向ケーシング２１は、側面の形状が扇形で、紙面と直角方向に所要の長い空間を形成している。そして、扇形の両端の直線部は入口部（イオン偏向ケーシング入口部）２２と出口部（イオン偏向ケーシング出口部）２３となっており、入口部２２はイオン注入装置４０に接続されている。そして、入口部２２と出口部２３とは、イオンビームＢの大角度偏向を行うために、相互間の例えば９０゜の角度が形成されるようにしている。
【００２２】
イオン偏向ケーシング２１の外部には、図２に示すように、図１の入口部２２及び出口部２３を通るように導体２４を所定の間隔で螺旋状に巻き付け、これにより、紙面と直角方向に長い空芯励磁電流路２５を形成している。従って、図１の空芯励磁電流路２５は、扇形電流路２５Ａとなっている。
図１の扇形電流路２５Ａでは、イオン偏向ケーシング２１の大径側外部に所要間隔で配置した外側円弧導体２４ａと、イオン偏向ケーシング２１の小径側外部に所要間隔で配置した内側円弧導体２４ｂと、入口部２２と出口部２３とに所要間隔で配置した直線部２４’を形成する直線導体２４ｃ，２４ｄとを、順次連結部２６で連結することによって螺旋を形成している。
【００２３】
入口部２２及び出口部２３の直線導体２４ｃ，２４ｄの相互間には所要の隙間Ｓが形成されており、イオン発生装置１６からのイオンがこの隙間Ｓを通してイオン偏向ケーシング２１内に導入され、そして導出されるようになっている。
図１の入口部２２における直線導体２４ｃとイオン注入装置４０との間には、直線導体２４ｃと重なる間隔位置になるように棒状のイオン引出し電極２７が配置されている。
また、出口部２３にはイオン加速電極２８が配置されている。また、出口部２３における直線導体２４ｄの左右両側部には、直線導体２４ｄの相互間を閉塞するようにした遮蔽部材２９が設けられており、これにより左右方向中間部にイオン取出口３０が形成されている。
【００２４】
更に、扇形電流路２５Ａを構成するイオン偏向ケーシング２１の長手方向端部内側には、イオンビームＢの空間電荷を中和するためのフィラメント３１が複数、例えば両端部に各９個ずつ、イオン偏向ケーシング２１の上流側すなわち入口部２２側に整列して設けられている。これらフィラメント３１は、図示しないフィラメント交換機構を用いてそれぞれ個別に着脱可能となっている。
また、これらフィラメント３１には、図３に示すように、それぞれ個別に、可変の電流を供給するフィラメント電流電源３２及び可変のバイアス電圧を供給するバイアス電圧電源３３が接続されている。
なお、このイオン質量分離装置２０は、イオン質量分離装置２０によって質量分離したイオンビームＢを、必要に応じてイオンビームＢの収束等の操作を行った後、被処理物である基材１１に照射して基材１１にイオン注入するようになっている。
【００２５】
次に、上記の構成からなるイオン注入装置の機能および作用について説明する。
図１のイオン質量分離装置２０では、イオン発生装置４０のプラズマ発生部により発生したイオンは、入口部２２のイオン引出し電極２７により吸引加速されながら直線導体２４ｃの相互の隙間Ｓを通して扇形電流路２５Ａのイオン偏向ケーシング２１内に導入される。イオン偏向ケーシング２１内に導入されたイオンビームＢは、出口部２３のイオン加速電極２８により吸引加速される。
【００２６】
扇形電流路２５Ａによれば、図２のように螺旋状に巻かれた導体２４によって、扇形電流路２５Ａの内部には、長手方向に均一な磁場が形成されるようになる。
上記したように扇形電流路２５Ａの内部に、長手方向に均一な磁場が形成されることにより、イオンビームＢのイオンはその質量に応じて扇形電流路２５Ａの長手方向で均一に曲げられることになる。そして、質量が所望より小さいイオンは図１に破線で示すように早く曲げられてイオン偏向ケーシング２１の内面に衝突してイオンビームＢから除去され、また、質量が所望より大きいイオンは曲り切れずにイオン偏向ケーシング２１の内面に衝突してイオンビームＢから除去される。これらフィラメント３１にそれぞれ個別にフィラメント電流電源３２及びバイアス電圧電源３３が取付けられているため、それらフィラメント３１の電流及びバイアス電圧をそれぞれ個別に制御することで所望の熱電子の供給量および分布にすることができるため、所望のイオンを正確に取出すこととなる。
【００２７】
これにより、実線で示す所望のイオンのみがイオン偏向ケーシング２１の他端の出口部２３に導かれるようになる。この時、出口部２１における直線導体２４ｄの左右両側部に遮蔽部材２９を設けてイオン取出口３０を形成しているので、このイオン取出口３０の大きさと位置、及び導体２４による磁場の強さを選定することによって、所望のイオンのみを更に正確に分離して取出すことができる。
従って、上記したイオン質量分離装置２０によれば、大口径、特に幅広で、確実にイオン質量分離された良質のイオンビームＢを得ることができる。
【００２８】
また、上記イオン質量分離装置２０を用いたイオン注入装置１０では、イオン質量分離装置２０にて作り出されたイオンビームＢを必要に応じて収束等の操作を行った後、被処理物である基材１１に走査しながら照射して、イオンを基材１１に注入する。この時、イオンビームＢは余分のイオン種を含まない所望のイオンのみからなっているので、イオン注入時のイオンの注入深さ分布を均一にすることができ、更に、基材１１に余分な熱負荷を与えることが防止できる。又、大口径を有するイオンビームＢによって、一回の操作で基材１１の広い面積にイオン注入を行うことができ、よって作業の能率を大幅に向上することができる。
【００２９】
また、イオン偏向ケーシング２１内の上流側にのみフィラメント３１を配置したことにより、上流側にのみ配置したフィラメント３１からイオン偏向ケーシング２１内に熱電子が供給されて、イオン偏向ケーシング２１内の空間電荷が中和されるため、イオンビームＢ自らの空間電荷効果によるイオンビームＢの発散が回避されることとなるので、イオンビームの輸送効率を向上させることができる。
また、フィラメント３１がイオン偏向ケーシング２１内に熱電子を供給した際にプラズマが生成されて、そのプラズマに起因する不純物を含んだイオンビームＢが生成された場合においても、イオン偏向ケーシング２１内の下流側でイオンビームＢの質量分離とともにイオンビームＢに含まれる不純物が除去されるため、不純物を含まずにイオン偏向ケーシング２１内の空間電荷が中和されることとなる。
【００３０】
また、フィラメント３１がイオン偏向ケーシング２１内に所定の間隔をもって複数配置されていることにより、複数のフィラメント３１を用いてそれらフィラメント３１から分布幅を持たせた熱電子を供給することができ、また、イオンビームＢの分布幅に合わせて分布幅を持たせた熱電子を供給することが可能となる。
また、フィラメント３１がイオン偏向ケーシング２１内の側面に配置されていることにより、フィラメント３１から供給される熱電子がイオン偏向ケーシング２１内に長時間閉じ込められたままでイオンビームＢの軌道と垂直な方向に往復運動し続けるため、フィラメント３１に新たに流す電流量が削減されることとなる。
また、メンテナンス時においては、フィラメント３１がイオン偏向ケーシング２１の端部に外部から着脱可能に設けられていることにより、イオン偏向ケーシング２１を分解することなく、フィラメント交換機構を用いてフィラメント３１の着脱を行うため、フィラメント３１の交換が容易に行われるだけでなく、イオン偏向ケーシング２１内を大気にさせずに済むことで、イオン偏向ケーシング２１内を真空化する手間が省略されるので、メンテナンスのコストを低減することができる。特に、フィラメント３１の寿命は３００時間であり、フィラメント３１の交換が頻繁に行われるため、その効果は大きい。
【００３１】
また、フィラメント３１にそれぞれフィラメント電流電源３２及びバイアス電圧電源３３が接続されていることにより、それぞれのフィラメント３１に対して必要に応じたフィラメント電流及びバイアス電圧を個別に与えられることとなり、熱電子の分布および供給量を幅広く調整することが可能である。
また、上記のようなイオン質量分離装置２０によって質量分離したイオンビームＢを基材１１に照射してイオン注入するようにしたことにより、イオンビームＢ自らの空間電荷効果による発散を回避された不純物を含まない良質のイオンビームＢが基材１１に注入されることとなる。
【００３２】
なお、空芯励磁電流路２５の断面形状は、図１のように扇形に限定されるものではなく種々の形状とすることができるが、少なくとも入口部２２と出口部２３に配置される導体２４は直線部２４’を形成し、しかも大角度偏向（例えば９０゜）できる形状であることが好ましい。
また、本発明は上記形態例にのみ限定されるものではなく、空芯励磁電流路の形状、大角度偏向させる角度は種々選定し得ること、その他本発明の要旨を逸脱しない範囲内において種々変更を加え得ること、等は勿論である。
【実施例１】
【００３３】
ここで、イオン偏向ケーシング２１内でフィラメント３１をどの位置に置けば最適なイオン質量分離装置２０となるかについて評価する試験を行ったので、その内容及び結果について記述する。
図４は、その試験に用いたイオン偏向ケーシング２１を示す図であり、寸法及びフィラメント３１の配置番号については図４に示すとおりである。
フィラメント３１が配置された位置（番号）と、それに対する電流密度、不要イオン種の量に関して試験を行った。その結果を表１に示す。
【００３４】
【表１】
2005078912.tif 000003
【００３５】
上記表１の結果から、以下のようなことが言える。
１．フィラメント３１は上流側の影響が大きく、高電流密度が得られるため、上流部においてフィラメント３１を最適化すればよい。
２．フィラメント３１がアーク放電の発生源となると考えられるため、下流部ではフィラメント３１を点灯せず、またフィラメント３１に供給するバイアス電圧をできるだけ低くし、イオン偏向ケーシング２１内でのプラズマ発生を抑制する必要がある。
３．イオン偏向ケーシング２１内の上流側でイオンビームＢの中心軌道と外半径側及び内半径側のフィラメント３１を点灯させたとき、電流密度が高くかつ不要イオン種が少ない。
４．フィラメント３１の個数を増やすと、不要イオン種の量が相対的に増える。
５．イオン発生装置４０に最も近い最上流部のフィラメント３１を点灯した方が、より電流密度が高い。
６．イオン発生装置４０に最も近い最上流部のフィラメント３１の中で２つ以上を点灯した方がよい。
７．フィラメント３１の配置に対して、フィラメント３１のバイアス電圧やイオン発生装置４０、イオン偏向ケーシング２１等の各パラメータを最適化し、最も有効に中和電子を放出する条件を見出すことが必要である。
【実施例２】
【００３６】
本発明におけるイオン注入装置及び従来のイオン注入装置について、それぞれのイオン偏向ケーシング内に設けられたフィラメントの電流と、イオン偏向ケーシング内を通過するイオンビームの電流密度とを測定してフィラメントの電流と電流密度との関係を示すとともに、両者の結果について比較を行った。
図５は、そのフィラメントの電流とイオンビームの電流密度との関係を比較した結果を示す。図５において、分散型すなわち本発明のイオン注入装置が、高電流になるにつれて従来型のイオン注入装置よりもビーム強度が高くなることがわかる。すなわち、本発明のイオン注入装置が従来のイオン注入装置よりもイオンビームが高効率で得られることとなる。
【図面の簡単な説明】
【００３７】
【図１】本発明におけるイオン注入装置の一例を示す断面図である。
【図２】本発明における導体を螺旋状に巻く状態を示す斜視図である。
【図３】本発明におけるフィラメントの各電源について説明する概略説明図である。
【図４】本発明におけるフィラメントの最適な配置に関する試験の説明図である。
【図５】本発明におけるフィラメントの電流とイオンビーム強度との関係を示す図である。
【符号の説明】
【００３８】
１０  イオン注入装置
１１  基材
２０  イオン質量分離装置
２１  イオン偏向ケーシング
２２  入口部（イオン偏向ケーシング入口部）
２３  出口部（イオン偏向ケーシング出口部）
２４  導体
２４’  直線部
２５  空芯励磁電流路
２５Ａ  扇形電流路
２６  連結部
２７  イオン引出し電極
２８  イオン加速電極
２９  遮蔽部材
３０  イオン取出口
３１  フィラメント
４０  イオン発生装置
【図１】
2005078912.tif 000004
【図２】
2005078912.tif 000005
【図３】
2005078912.tif 000006
【図４】
2005078912.tif 000007
【図５】
2005078912.tif 000008